(57)【要約】【課題】特に構成が簡単でシェードを自由に交換できる照明装置を提供する。【解決手段】本考案に係る組立式照明器具は、組立座１０と、発光ユニット２０と、シェード３０と、を有し、前記組立座１０は、内部にチャンバーが形成され、上部に該チャンバーと連通する少なくとも１つの第一開口１１が形成され、該第一開口１１の周囲に頸部１２が上方へ向って延設され、前記発光ユニット２０は、組立座１０のチャンバーに設置され、第一開口１１を通って組立座１０の外部に延出し、前記シェード３０は、一端に開口端が設けられ、該開口端を介して発光ユニット２０をカバーするように第一開口１１の頸部１２に挿し込まれ、透光性を備えることにより、発光ユニット２０からの光を透過して射出するものであり、この構成により、破損した部材を容易に交換することから、メンテナンスコストを抑えられると共に、シェード３０を交換して射出した光の色も変更することができる。【選択図】図２
0003215256.tif 000002
【実用新案登録請求の範囲】
【請求項１】
内部にチャンバーが形成され、上部に該チャンバーと連通する少なくとも１つの第一開口が形成され、該第一開口の周囲に頸部が上方へ向って延設される組立座と、
前記組立座のチャンバーに設置され、第一開口を通って組立座の外部に延出する発光ユニットと、
一端に開口端が設けられ、該開口端を介して発光ユニットをカバーするように第一開口の頸部に挿し込まれ、透光性を備えることにより、発光ユニットからの光を透過して射出するシェードと、を有することを特徴とする組立式照明器具。
【請求項２】
前記組立座がエンジンブロックであることを特徴とする請求項１に記載の組立式照明装置。
【請求項３】
前記頸部に断面Ｔ字形のゴムリングが取り付けられ、該ゴムリングは、環装部及び凸縁を備え、該環装部は、円筒状を呈し、中心に貫通穴が形成され、外径が第一開口の頸部の内径と一致するように頸部に嵌め込まれ、該凸縁は、一体成形であり、環装部の上面周縁に延設され、底面が頸部の上面に当接されることを特徴とする請求項１または２に記載の組立式照明装置。
【請求項４】
前記組立座に第二開口が形成されることを特徴とする請求項３に記載の組立式照明装置。
【請求項５】
前記組立座の外側に複数の飾り板が設けられることを特徴とする請求項４に記載の組立式照明装置。
【請求項６】
前記組立座に複数の支持柱が設けられ、該各支持柱は、柱体及びパッドを含み、該柱体は、上端が組立座の隅角の近傍の上面から挿入すると共に、下端が組立座の底面の対応する箇所から突出するように組立座に貫設され、該パッドが柱体の下端に取り付けられることを特徴とする請求項５に記載の組立式照明装置。
【請求項７】
前記発光ユニットが発光ダイオードからなるチューブライトやテープライトであることを特徴とする請求項６に記載の組立式照明装置。
【請求項８】
前記発光ユニットは、組立座の内部で電源線及びスイッチと電気接続され、該スイッチは、組立座の外側に設置され、発光ユニットのオンオフの切り替えに用いることを特徴とする請求項７に記載の組立式照明装置。
【請求項９】
前記シェードを強固に第一開口に装着するために、該シェードの開口端がゴムリングの内周面に嵌合されることを特徴とする請求項８に記載の組立式照明装置。
【請求項１０】
前記シェードの開口端に、開口の形状及び寸法に対応する、弾性ストッパーが着脱可能に嵌め込まれることを特徴とする請求項９に記載の組立式照明装置。
【請求項１１】
前記シェードに、柄または模様が異なる模様層が設置されることを特徴とする請求項１０に記載の組立式照明装置。
【請求項１２】
前記シェードが交換可能であることを特徴とする請求項１１に記載の組立式照明装置。
【請求項１３】
前記シェードがワインボトルであることを特徴とする請求項１２に記載の組立式照明装置。
【考案の詳細な説明】
【技術分野】
【０００１】
本考案は、特に構成が簡単でシェードを自由に交換できる照明装置に関するものである。
【背景技術】
【０００２】
既存の照明装置では、底座や、発光ユニット、シェード、延長コードなどの部材が殆ど一体に構成されており、消費者に対しては使用上便利であるが、一部の部材が破損した場合、使用者自身で修理することができないので、修理に出さなければならない。また、既存の照明装置のシェードは、底座に一体固定されることから、雰囲気を変えたり、好みの色に変更することができなく、さらに、一体固定式の照明装置を製造する場合は、精密加工を行うことから、生産コストが高くなるので、販売価格も上昇してしまう。
【考案の概要】
【考案が解決しようとする課題】
【０００３】
そのため、既存の一体固定式の照明装置は、修理し難く、シェードも交換できず、生産コストも高いなどの欠点を有するので、改良する必要があった。
【課題を解決するための手段】
【０００４】
本考案に係る組立式照明器具は、
内部にチャンバーが形成され、上部に該チャンバーと連通する少なくとも１つの第一開口が形成され、該第一開口の周囲に頸部が上方へ向って延設される組立座と、
前記組立座のチャンバーに設置され、第一開口を通って組立座の外部に延出する発光ユニットと、
一端に開口端が設けられ、該開口端を介して発光ユニットをカバーするように第一開口の頸部に挿し込まれ、透光性を備えることにより、発光ユニットからの光を透過して射出するシェードと、を有するものである。
【０００５】
かかる組立式照明装置において、前記組立座がエンジンブロックであることが好ましい。
【０００６】
かかる組立式照明装置において、
前記頸部に断面Ｔ字形のゴムリングが取り付けられ、該ゴムリングは、環装部及び凸縁を備え、該環装部は、円筒状を呈し、中心に貫通穴が形成され、外径が第一開口の頸部の内径と一致するように頸部に嵌め込まれ、該凸縁は、一体成形であり、環装部の上面周縁に延設され、底面が頸部の上面に当接されることが好ましい。
【０００７】
かかる組立式照明装置において、前記組立座に第二開口が形成されることが好ましい。
【０００８】
かかる組立式照明装置において、前記組立座の外側に複数の飾り板が設けられることが好ましい。
【０００９】
かかる組立式照明装置において、
前記組立座に複数の支持柱が設けられ、該各支持柱は、柱体及びパッドを含み、該柱体は、上端が組立座の隅角の近傍の上面から挿入すると共に、下端が組立座の底面の対応する箇所から突出するように組立座に貫設され、該パッドが柱体の下端に取り付けられることが好ましい。
【００１０】
かかる組立式照明装置において、前記発光ユニットが発光ダイオードからなるチューブライトやテープライトであることが好ましい。
【００１１】
かかる組立式照明装置において、前記発光ユニットは、組立座の内部で電源線及びスイッチと電気接続され、該スイッチは、組立座の外側に設置され、発光ユニットのオンオフの切り替えに用いることが好ましい。
【００１２】
かかる組立式照明装置において、前記シェードを強固に第一開口に装着するために、該シェードの開口端がゴムリングの内周面に嵌合されることが好ましい。
【００１３】
かかる組立式照明装置において、前記シェードの開口端に、開口の形状及び寸法に対応する、弾性ストッパーが着脱可能に嵌め込まれることが好ましい。
【００１４】
かかる組立式照明装置において、前記シェードに、柄または模様が異なる模様層が設置されることが好ましい。
【００１５】
かかる組立式照明装置において、前記シェードが交換可能であることが好ましい。
【００１６】
かかる組立式照明装置において、前記シェードがワインボトルであることが好ましい。
【考案の効果】
【００１７】
本考案に係る組立式照明装置は、以下に示すようなメリットを有する。
１．組立式であることから、修理が可能：本考案の組立式照明装置は、既存のような一体形成の固定式ではなく、部材を組み立てて構成させることから、簡単に分解することができるので、一部の部材が破損した場合、自分で修理することができる。
２．シェードの交換が可能：使用者が雰囲気を変えるために、光の色彩を変更したい時には、シェードを自由に交換できる。
３．生産コストの低減：本考案に係る組立式照明装置は、既存の一体形成の固定式の照明装置と異なり、精密加工を行う必要はないと共に、部材も手軽に入手できるので、生産コストを大幅に低減することができる。
【図面の簡単な説明】
【００１８】
【図１】本考案に係る組立式照明装置の第一実施例の側面図である。
【図２】本考案に係る組立式照明装置の第一実施例の部分分解斜視図である。
【図３】本考案に係る組立式照明装置の第一実施例における組立座及び発光ユニットの側面視部分断面図である。
【図４】本考案に係る組立式照明装置の第一実施例においての使用状態を示す説明図である。
【図５】本考案に係る組立式照明装置の第二実施例においての、使用状態を示す説明図である。
【考案を実施するための形態】
【００１９】
図１及び図２に示すように、本考案に係る組立式照明装置の第一実施例は、組立座１０と、発光ユニット２０と、シェード３０を有する。
【００２０】
前記組立座１０は、内部にチャンバーが形成され、上部に該チャンバーと連通する少なくとも１つの第一開口１１が形成され、該第一開口１１の周囲に頸部１２が上方へ向って延設されるものである。尚、本実施例における組立座１０は、エンジンブロックであってもよく、また、長方形や、円形、三角形など如何なる幾何学形状を呈してもよく、木質や、金属、アルミニウム合金、ステンレス鋼、プラスチック、ガラス、コンクリート、石からなる群のうちの１つまたは複数を含んでもよい。
【００２１】
前記頸部１２に断面Ｔ字形のゴムリング１３が取り付けられ、該ゴムリング１３は、環装部１３１及び凸縁１３２を備え、該環装部１３１は円筒状を呈し、中心に貫通穴１３３が形成され、外径が第一開口１１の頸部１２の内径と一致するように頸部１２に嵌め込まれ、該凸縁１３２は一体成形であり、環装部１３１の上面周縁に延設され、底面が頸部１２の上面に当接され、この構成によれば、該ゴムリング１３を頸部１２に強固に取り付けることができる。
前記組立座１０に第二開口１４が形成され、該第二開口１４に電源線を通して組立座１０の内部に配線し、前記組立座１０の外側に複数の飾り板１５が設けられることが好ましい。
【００２２】
前記組立座１０に複数の支持柱１６が設けられ、該各支持柱１６は、柱体１６１及びパッド１６２を含み、該柱体１６１の上端は、組立座１０の隅角の近傍上面から挿入すると共に、下端は、組立座１０の底面の対応する箇所から突出するように組立座１０に貫設され、該パッド１６２は、柱体１６１の下端に取り付けられ、これによれば、柱体１６１の底端が組立式照明装置の放置するものの表面に傷が付くことを防止する。
【００２３】
前記発光ユニット２０は、発光ダイオード（Ｌｉｇｈｔ  ｅｍｉｔｔｉｎｇ  ｄｉｏｄｅ，ＬＥＤ）からなるチューブライトやテープライトであり、第一開口１１を介して組立座１０から外部に延出するように、組立座１０のチャンバーに設置される。また、図３に示すように、前記発光ユニット２０は、組立座１０の内部で電源線及びスイッチ２１と電気接続され、該スイッチ２１は、組立座１０の外側に設置されるが、組立座１０の飾り板１５に設置されてもよく、発光ユニット２０をオンまたはオフに切り替えることができ、スイッチ２１をオンに切り替えると、通電状態となり、発光ユニット２０が点き、発光ユニット２０をオフに切り替えると、遮断状態となり、発光ユニット２０が消える。
【００２４】
前記シェード３０は、発光ユニット２０をカバーするように設置され、前記シェード３０の一端に開口端が設けられ、前記開口端は、第一開口１１の頸部１２に挿し込まれ、図４に示すように、透光性を備えることにより、発光ユニット２０からの光を透過して射出することができる。
さらに、前記シェード３０を強固に第一開口１１に装着するために、該シェード３０の開口端がゴムリング１３の内周面に嵌合される。また、図２に示すように、該シェード３０の開口端に、開口の形状及び寸法に対応する弾性ストッパー３１が着脱可能に嵌め込まれ、これによれば、発光ユニット２０が固定されるので、シェード３０から脱落することはない。
【００２５】
前記シェード３０の内部に、柄または模様が異なる模様層３２が設置されることから、光がシェード３０を透過して様々な色を放つので、デザイン性に優れる。一方、前記シェード３０は、交換可能であることから、シェード３０を交換することにより、さまざまな光を楽しむことができる。尚、前記シェード３０は、ワインボトルであることが好ましい。
【００２６】
本考案に係る組立式照明装置の第二実施例は、図５に示すように、殆ど第一実施例と同一であるが、シェード３０Ａの形状及び内面に付けた模様層３２Ａが異なるため、外観が異なる。
【００２７】
使用する時は、スイッチ２１をオンまたはオフに切り替えることにより、発光ユニット２０を付けたり消したりすることができ、発光ユニット２０を消した状態は、図１に示す通りであり、発光ユニット２０を付けた状態は、図４に示す通りである。このように、本考案に係る組立式照明装置は、簡単な構成であることから、部材が破損した場合には単に、破損した部材のみ交換すればよく、また、射出した光の色を変更する場合は、異なるシェード３０に交換すればよいので、メンテナンスコストを抑えられる。
【符号の説明】
【００２８】
１０    組立座
１１    第一開口
１２    頸部
１３    ゴムリング
１３１    環装部
１３２    凸縁
１４    第二開口
１５    飾り板
１６    支持柱
１６１    柱体
１６２    パッド
２０    発光ユニット
２１    スイッチ
３０、３０Ａ    シェード
３２Ａ    模様層
【図１】
0003215256.tif 000003
【図２】
0003215256.tif 000004
【図３】
0003215256.tif 000005
【図４】
0003215256.tif 000006
【図５】
0003215256.tif 000007